(57)【特許請求の範囲】
【請求項１】
天井裏(3) に配置される装置本体(10)と、装置本体(10)の側面板(20)に取り付けられるダクト継手(12)と、室内(4) に面して天井面(5) に配置され、天井開口(6) を介して装置本体(10)に取り外し可能に取り付けられる化粧パネル(11)とを備える空気調和装置(1) において、
上記装置本体(10)およびダクト継手(12)が平面視で天井開口(6) の輪郭(7) 内に配置され、
上記装置本体(10)の周囲に形成される上記天井開口(6) 内の隙間(8) において、上記ダクト継手(12)が取り付けられた上記側面板(20)と上記天井開口(6) の上記輪郭(7) との間隔が相対的に広く、上記ダクト継手(12)の反対側にある上記装置本体(10)の側面板(20)と上記天井開口(6) の上記輪郭(7) との間隔が相対的に狭いことを特徴とする空気調和装置。
【請求項２】
請求項１に記載の空気調和装置(1) において、
上記ダクト継手(12)にダクト(2) を取り付けるための取付部材(13)が、化粧パネル(11)の少なくとも一部を取り外すことにより、装置本体(10)の周囲に形成される天井開口(6) 内の隙間(8) を通して室内(4) に臨むことを特徴とする空気調和装置。
【請求項３】
天井裏(3) に配置される装置本体(10)と、装置本体(10)の側面板(20)に取り付けられるダクト継手(12)と、室内(4) に面して天井面(5) に配置され、天井開口(6) を介して装置本体(10)に取り外し可能に取り付けられる化粧パネル(11)とを備える空気調和装置(1) において、
上記装置本体(10)は、ダクト継手(12)が取り付けられる側面板(20)と、側面板(20)を取り外し可能に取り付ける主体部(30)とを含み、
側面板(20)を主体部(30)に取り付ける取付部材(31)は、化粧パネル(11)の少なくとも一部を取り外すことにより天井開口(6) を通して室内(4) に臨み、
天井開口(6) は、少なくとも装置本体(10)を通すことのできる大きさに設定され、
上記装置本体(10)の周囲に形成される上記天井開口(6) 内の隙間(8) において、上記ダクト継手(12)が取り付けられた上記側面板(20)と上記天井開口(6) の輪郭(7) との間隔が相対的に広く、上記ダクト継手(12)の反対側にある上記装置本体(10)の側面板(20)と上記天井開口(6) の上記輪郭(7) との間隔が相対的に狭いことを特徴とする空気調和装置。
【請求項４】
天井裏(3) に配置される装置本体(10)と、装置本体(10)の側面板(20)に取り付けられるダクト継手(12)と、室内(4) に面して天井面(5) に配置され、天井開口(6) を介して装置本体(10)に取り外し可能に取り付けられる化粧パネル(11)とを備える空気調和装置(1) において、
上記化粧パネル(11)は開閉可能なグリル(14)を含み、
ダクト継手(12)を装置本体(10)の側面板(20)に取り付ける取付部材(40)は、グリル(14)を開放して化粧パネル(12)に形成されるパネル開口(15)を通して操作可能であり、
天井開口(6) は、少なくとも装置本体(10)を通すことのできる大きさに設定され、
上記装置本体(10)の周囲に形成される上記天井開口(6) 内の隙間(8) において、上記ダクト継手(12)が取り付けられた上記側面板(20)と上記天井開口(6) の輪郭(7) との間隔が相対的に広く、上記ダクト継手(12)の反対側にある上記装置本体(10)の側面板(20)と上記天井開口(6) の上記輪郭(7) との間隔が相対的に狭いことを特徴とする空気調和装置。
【請求項５】
天井裏(3) に配置される装置本体(10)と、装置本体(10)の側面板(20)に取り付けられるダクト継手(12)と、室内(4) に面して天井面(5) に配置され、天井開口(6) を介して装置本体(10)に取り外し可能に取り付けられる化粧パネル(11)とを備える空気調和装置(1) において、
上記ダクト継手(12)を装置本体(10)の側面板(20)に取り付ける取付部材(40)は、化粧パネル(11)の少なくとも一部を取り外すことにより天井開口(6) を通して室内(4) に臨み、天井開口(6) を通して操作可能であり、
天井開口(6) は、少なくとも装置本体(10)を通すことのできる大きさに設定され、
上記装置本体(10)の周囲に形成される上記天井開口(6) 内の隙間(8) において、上記ダクト継手(12)が取り付けられた上記側面板(20)と上記天井開口(6) の輪郭(7) との間隔が相対的に広く、上記ダクト継手(12)の反対側にある上記装置本体(10)の側面板(20)と上記天井開口(6) の上記輪郭(7) との間隔が相対的に狭いことを特徴とする空気調和装置。
【請求項６】
天井裏(3) に配置される装置本体(10)と、装置本体(10)の側面板(20)に取り付けられるダクト継手(12)と、室内(4) に面して天井面(5) に配置され、天井開口(6) を介して装置本体(10)に取り外し可能に取り付けられる化粧パネル(11)とを備える空気調和装置(1) において、
上記化粧パネル(11)は開閉可能なグリル(14)を含み、
装置本体(10)は、ダクト継手(12)が取り付けられる側面板(20)と、側面板(20)を取り外し可能に取り付ける主体部(30)とを含み、
側面板(20)を主体部(30)に取り付ける取付部材(31)は、グリル(14)を開放して化粧パネル(11)に形成されるパネル開口(15)を通して操作可能であり、
天井開口(6) は、少なくとも装置本体(10)を通すことのできる大きさに設定され、
上記装置本体(10)の周囲に形成される上記天井開口(6) 内の隙間(8) において、上記ダクト継手(12)が取り付けられた上記側面板(20)と上記天井開口(6) の輪郭(7) との間隔が相対的に広く、上記ダクト継手(12)の反対側にある上記装置本体(10)の側面板(20)と上記天井開口(6) の上記輪郭(7) との間隔が相対的に狭いことを特徴とする空気調和装置。
【発明の詳細な説明】
【０００１】
【発明の属する技術分野】
空気調和装置に関する。特に、ダクトと接続されて天井裏に配置される装置本体と、これに取り付けられて天井に配置される化粧パネルとを有する天井配置型の空気調和装置に関する。
【０００２】
【従来の技術】
上述の空気調和装置としては、例えば、熱交換型換気装置がある。これは、天井裏に配置される装置本体を有し、この装置本体に一対のダクトが接続されている。一方のダクトの端部には、屋外に臨んで外気を吸い込むための給気口が設けられ、他方のダクトの端部には、屋外に臨んで室内からの空気を排出する排気口が設けられている。また、装置本体の下面には、室内に臨む吹出口および吸込口を有する化粧パネルが取り付けられている。化粧パネルと装置本体とは、天井に形成された天井開口を介して接続されている。
【０００３】
また、装置本体の側面とダクトとは、ダクト継手を介して接続されている。ダクト継手は装置本体の側面に固定されている。また、装置本体とダクト継手とがなす平面形状は、天井開口の輪郭よりも大きくなっていた。
【０００４】
【発明が解決しようとする課題】
ところで、空気調和装置を交換するためや、装置本体のメンテナンスをするために、装置本体を天井裏から下ろす場合がある。このような場合、まず、天井裏にあるダクトとダクト継手との接続を解除し、その後、ダクト継手の付いた装置本体を下方に下ろすこととなる。
ところが、ダクト継手の付いた装置本体は、天井開口よりも大きいので、そのままで下ろすことはできなかった。このため、通常、装置本体とダクト継手とが通る大きな開口を形成するために、天井開口の周縁部となる天井の一部を除去する工事が必要となり、非常に手間がかかっていた。
【０００５】
そこで、本発明の目的は、上述の技術的課題を解決し、メンテナンス等のために装置本体を下ろす際の手間を低減することができる空気調和装置を提供することである。
【０００６】
【課題を解決するための手段および発明の効果】
請求項１に記載の発明は、天井裏に配置される装置本体と、装置本体の側面板に取り付けられるダクト継手と、室内に面して天井面に配置され、天井開口を介して装置本体に取り外し可能に取り付けられる化粧パネルとを備える空気調和装置において、上記装置本体およびダクト継手が平面視で天井開口の輪郭内に配置され、上記装置本体の周囲に形成される上記天井開口内の隙間において、上記ダクト継手が取り付けられた上記側面板と上記天井開口の上記輪郭との間隔が相対的に広く、上記ダクト継手の反対側にある上記装置本体の側面板と上記天井開口の上記輪郭との間隔が相対的に狭いことを特徴とする空気調和装置を提供する。
【０００７】
この発明によれば、装置本体を下ろす際に、装置本体にダクト継手を取り付けたままで、且つ天井開口をそのまま通すことができるので、天井開口を広げるための作業をせずに済む。その結果、装置本体を下ろす際の手間を低減できる。
請求項２に記載の発明は、請求項１に記載の空気調和装置において、上記ダクト継手にダクトを取り付けるための取付部材が、化粧パネルの少なくとも一部を取り外すことにより、装置本体の周囲に形成される天井開口内の隙間を通して室内に臨むことを特徴とする空気調和装置を提供する。
【０００８】
この発明によれば、低所の室内から容易に、ダクトとダクト継手との取付状態を解除できる結果、上述の手間をより一層低減することができる。
請求項３に記載の発明は、天井裏に配置される装置本体と、装置本体の側面板に取り付けられるダクト継手と、室内に面して天井面に配置され、天井開口を介して装置本体に取り外し可能に取り付けられる化粧パネルとを備える空気調和装置において、上記装置本体は、ダクト継手が取り付けられる側面板と、側面板を取り外し可能に取り付ける主体部とを含み、側面板を主体部に取り付ける取付部材は、化粧パネルの少なくとも一部を取り外すことにより天井開口を通して室内に臨み、天井開口は、少なくとも装置本体を通すことのできる大きさに設定され、上記装置本体の周囲に形成される上記天井開口内の隙間において、上記ダクト継手が取り付けられた上記側面板と上記天井開口の輪郭との間隔が相対的に広く、上記ダクト継手の反対側にある上記装置本体の側面板と上記天井開口の上記輪郭との間隔が相対的に狭いことを特徴とする空気調和装置を提供する。
【０００９】
この発明によれば、装置本体を天井裏から下ろす際には、低所の室内から容易に側面部と主体部との取付状態を解除でき、主体部を天井開口にそのまま通して下ろすことができる。その結果、装置本体を下ろす際の手間を低減できる。
請求項４に記載の発明は、天井裏に配置される装置本体と、装置本体の側面板に取り付けられるダクト継手と、室内に面して天井面に配置され、天井開口を介して装置本体に取り外し可能に取り付けられる化粧パネルとを備える空気調和装置において、上記化粧パネルは開閉可能なグリルを含み、ダクト継手を装置本体の側面板に取り付ける取付部材は、グリルを開放して化粧パネルに形成されるパネル開口を通して操作可能であり、天井開口は、少なくとも装置本体を通すことのできる大きさに設定され、上記装置本体の周囲に形成される上記天井開口内の隙間において、上記ダクト継手が取り付けられた上記側面板と上記天井開口の輪郭との間隔が相対的に広く、上記ダクト継手の反対側にある上記装置本体の側面板と上記天井開口の上記輪郭との間隔が相対的に狭いことを特徴とする空気調和装置を提供する。
【００１０】
この発明によれば、装置本体を下ろす際には、低所の室内から容易にダクト継手と装置本体との取付状態を解除でき、装置本体を天井開口にそのまま通して下ろすことができる。その結果、装置本体を下ろす際の手間を低減できる。
請求項５に記載の発明は、天井裏に配置される装置本体と、装置本体の側面板に取り付けられるダクト継手と、室内に面して天井面に配置され、天井開口を介して装置本体に取り外し可能に取り付けられる化粧パネルとを備える空気調和装置において、上記ダクト継手を装置本体の側面板に取り付ける取付部材は、化粧パネルの少なくとも一部を取り外すことにより天井開口を通して室内に臨み、天井開口を通して操作可能であり、天井開口は、少なくとも装置本体を通すことのできる大きさに設定され、上記装置本体の周囲に形成される上記天井開口内の隙間において、上記ダクト継手が取り付けられた上記側面板と上記天井開口の輪郭との間隔が相対的に広く、上記ダクト継手の反対側にある上記装置本体の側面板と上記天井開口の上記輪郭との間隔が相対的に狭いことを特徴とする空気調和装置を提供する。
【００１１】
この発明によれば、上述の請求項４の作用効果を同様に得ることができる。
請求項６に記載の発明は、天井裏に配置される装置本体と、装置本体の側面板に取り付けられるダクト継手と、室内に面して天井面に配置され、天井開口を介して装置本体に取り外し可能に取り付けられる化粧パネルとを備える空気調和装置において、上記化粧パネルは開閉可能なグリルを含み、装置本体は、ダクト継手が取り付けられる側面板と、側面板を取り外し可能に取り付ける主体部とを含み、側面板を主体部に取り付ける取付部材は、グリルを開放して化粧パネルに形成されるパネル開口を通して操作可能であり、天井開口は、少なくとも装置本体を通すことのできる大きさに設定され、上記装置本体の周囲に形成される上記天井開口内の隙間において、上記ダクト継手が取り付けられた上記側面板と上記天井開口の輪郭との間隔が相対的に広く、上記ダクト継手の反対側にある上記装置本体の側面板と上記天井開口の上記輪郭との間隔が相対的に狭いことを特徴とする空気調和装置を提供する。
【００１２】
この発明によれば、上述の請求項３の作用効果を同様に得ることができる。
【００１３】
【発明の実施の形態】
本発明の一実施形態の空気調和装置を添付図面を参照しつつ説明する。
図１は、本発明の第１実施形態の空気調和装置の模式図である。なお、図１には、空気調和装置を正面から見た状態で天井から下ろす過程を（ａ）〜（ｃ）に順に図示している。図２は、空気調和装置の平面図であり、天井開口も図示されている。
【００１４】
本空気調和装置１は、一対のダクト２とともに、屋外と室内との間で空気を熱交換しながら、室内の空気を屋外へ排気し、屋外の空気を室内に供給する熱交換型換気装置を構成している。
空気調和装置１は、天井裏３に配置される装置本体としてのケーシング１０と、このケーシング１０の側面板２０に取り付けられるダクト継手１２と、室内４に面して天井面５に配置されて天井開口６を介してケーシング１０の下面３２に取り外し可能に取り付けられる化粧パネル１１とを有している。ダクト継手１２は、一対で設けられている。各ダクト継手１２には、ダクト２がそれぞれ接続され、ケーシング１０の内部と各ダクト２内部とを連通している。ダクト２は一対が設けられ、屋外に排気する排気ダクトおよび屋外から空気を取り入れる給気ダクトとして機能する。
【００１５】
化粧パネル１１には、室内４へ空気を吹き出す吹出口（図示せず）と、室内４の空気を吸い込む吸込口（図示せず）とが設けられている。化粧パネル１１は、天井面５に沿って配置されて天井開口６よりも大きく、平面視で略正方形に形成されている。
ケーシング１０の内部には、図示していないが、一方のダクト継手１２とつながる排気路と、他方のダクト継手１２とつながる給気路とが互いに仕切られている。また、ケーシング１０の内部には、給気路を流れる空気と排気路を流れる空気との間で熱交換する熱交換器と、給気路に空気を流す給気用送風機と、排気路に空気を流す排気用送風機とが収容されている。
【００１６】
給気用送風機および排気用送風機が運転されると、屋外の空気は、給気用のダクト２およびケーシング１０内の給気路を経て化粧パネル１１の吹出口に至る給気風路を流れ、室内４の空気は、化粧パネル１１の吸込口からケーシング１０内の排気路および排気用のダクト２を経て屋外に至る排気風路を流れる。給気風路および排気風路の空気は、熱交換器により互いに熱交換されつつ、新鮮な外気が室内４に供給されると同時に、室内４の空気が屋外に排出される。
【００１７】
ケーシング１０は、給気路および排気路を内部に区画し、平面形状略矩形の箱状に形成されている。上述の平面形状は、略長方形であり、さらに詳しくは、８角形形状とされ、長方形の角部が斜めにカットされたコーナ部が形成されている。ケーシング１０は、複数、例えば、８つの側面板２０と、これらの側面板２０の上端縁を接続する上面板３３とを有している。複数の側面板２０は、上述の８角形形状の各辺をなしている。
【００１８】
８つの側面板２０は、上述の平面形状の長方形の長手方向に沿いつつ互いに対向する一対の側面板２１，２２と、上述の長方形の短手方向に沿いつつ互いに対向する一対の側面板２３，２４と、４つのコーナ部をそれぞれなすコーナ側面板２５〜２８とを含んでいる。側面板２１，２２および側面板２３，２４は、側面視で長方形に形成されている。側面板２１には、２つのダクト継手１２が並んで配置され、ダクト継手１２の並ぶ方向は側面板２１の長方形の長手方向に沿っている。
【００１９】
ダクト継手１２の設けられた側面板２１には、一対のダクト継手１２に対応して、空気を通すための一対の連通開口３４（図５参照）が形成されている。ダクト継手１２は、テーパを有する筒状に形成されている。ダクト継手１２の一端が、連通開口３４の周縁部と接しつつ、側面板２１に固定され、側面板２１とダクト継手１２との境界から空気が漏れないように封止されている。ダクト継手１２の他端に、所定のダクト２が接続される。所定のダクト２の一端の内周面が、ダクト継手１２の他端の外周面に嵌め込まれ、ダクト継手１２とダクト２とは、樹脂テープ、アルミテープ等の取付部材１３により互いに接続されている。アルミテープ等は、ダクト継手１２とダクト２との境界およびその近傍に巻かれており、これにより、境界から空気が漏れないように封止している。
【００２０】
また、ケーシング１０の各コーナ側面板２５〜２８には、空気調和装置１を天井裏３に吊り下げ支持するための保持具３５が溶接等により固定されている。天井裏３の梁等には、上下方向に延びた吊りボルト９等が予め設置されている。この吊りボルト９の雄ねじにナットがねじ込まれている。保持具３５は、略Ｌ字形状を有し、このＬ字形状の各辺をなす固定板部と上述の取付板部とを有している。各コーナ側面板２５〜２８には、固定板部がそれぞれ固定されている。取付板部は、吊りボルト９を通す挿通孔を有している。吊りボルト９が挿通孔を通った状態で、取付板部がナットの上面に載置される。ナットは、ケーシング１０を上げ下ろし可能に吊り下げ支持する吊り下げ手段として機能し、このナットを介して、保持具３５が吊りボルト９に係止されている。下方から操作して、ナットを緩み方向に回動させることにより、ケーシング１０を下ろすことができる。
【００２１】
上述のケーシング１０と、その内部に収容された熱交換器、一対の送風機等の各機器と、ダクト継手１２とは、一体的なユニットを構成している。空気調和装置１の設置時には、ユニットごとまとめて天井裏３に設置される。通常、その後、天井面が形成される。
ところで、従来、天井に設置されている空気調和装置を新しいものに交換する際や、メンテナンスの際に、空気調和装置を下方の室内４に下ろすために手間がかかっていた。本空気調和装置１では、下方に下ろすための手間を低減することができる。
【００２２】
本発明の第１実施形態では、ケーシング１０およびダクト継手１２が平面視で天井開口６の輪郭７内に配置されている。これにより、天井開口６を通じてケーシング１０およびダクト継手１２を天井裏３から下方の室内４に無理なく下ろすことができる。
天井開口６の輪郭７は、平面視で略矩形、例えば、正方形に形成されている。正方形の各辺が、ケーシング１０の平面形状の矩形の各辺とほぼ平行に配置されている。
【００２３】
各保持具３５も、平面視で天井開口６の輪郭７内に配置されている。天井開口６の輪郭７と各コーナ側面との間に形成される隙間を通じて、吊りボルト９にねじ込まれたナットを下方から回動させることができるようになっている。
また、本空気調和装置１では、ダクト継手１２にダクト２を取り付けるための取付部材１３が、化粧パネル１１を取り外すことにより、装置本体としてのケーシング１０の周囲に形成される天井開口６内の隙間８を通して室内４に臨むようにされている。
【００２４】
隙間８は、ダクト継手１２の下方で相対的に広くされている。すなわち、隙間８は、ダクト継手１２が設けられた側面板２１と天井開口６の輪郭７との間で、他の側面板２０と輪郭７との周囲に比べて広くされている。この広い隙間８を通して、下方の室内４から手を天井裏３に差し入れて、取付部材１３の取り外し操作ができるようにされている。
本空気調和装置１を室内４に下ろす際には、まず、化粧パネル１１を取り外す。これにより、天井開口６が室内４に露出される。天井開口６内の隙間８を通して、取付部材１３を室内４から取り外し、ダクト継手１２とダクト２とを分離可能な状態とする。この際、天井開口６を広げたり、天井開口６とは別のダクト点検口を形成する等により、ダクト２を取り外すための開口を天井に別途形成する必要がない。
【００２５】
なお、天井面５に、天井開口６の他にダクト点検口が別途設けられている場合には、このダクト点検口を利用してもよい。このダクト点検口を利用する場合であっても、取付部材１３は隙間８を通じて室内４に臨むことにより、取付部材１３の周囲が広く且つ明るく開放されるので、作業し易い。
次に、吊りボルト９にねじ込まれたナットを緩め、吊りボルト９と保持具３５との係合を解除する。そして、ケーシング１０およびダクト継手１２を含むユニットを、天井開口６を通じて下ろす。天井開口６を通す際に、ダクト継手１２は邪魔にならず、その結果、天井開口６を広げる必要がなく、そのまま利用できる。
【００２６】
また、メンテナンス等の終了後に、上述の下ろしたユニットを天井裏３に設置する際には、上述の手順と逆に行えばよい。この際も、天井開口６を通して、ユニットを天井裏３に上げることができる。そして、隙間８を通して取付部材１３を操作し、これによりダクト２とダクト継手１２とを互いに接続することができる。
第２実施形態は、第１実施形態と以下の点で異なり、それ以外の点については、同様に構成されているものであり、同じ符号を付して説明を省略する。なお、以下で説明する他の実施形態についても、同様とする。
【００２７】
図３は、本発明の第２実施形態の空気調和装置の模式図であり、正面から見た状態で天井から下ろす過程を（ａ）〜（ｃ）に順に図示している。図４は、空気調和装置の平面図であり、天井開口も図示されている。図５は、空気調和装置の要部の分解斜視図である。図６は、ケーシングの要部拡大正面断面図である。
第２実施形態の空気調和装置１では、装置本体としてのケーシング１０は、ダクト継手１２が取り付けられる側面板２１と、この側面板２１を取り外し可能に取り付ける主体部３０とを含んでいる。側面板２１を主体部３０に取り付ける取付部材としての複数のビス３１は、化粧パネル１１の全体を取り外すことにより天井開口６を通して室内４に臨んでいる。
【００２８】
また、本空気調和装置１では、ケーシング１０、保持具３５、およびダクト継手１２が平面視で天井開口６の輪郭７内に配置されている。ダクト継手１２の設けられた側面板２１と天井開口６の輪郭７との間の隙間８は、第１実施形態に比べて小さくされている。
なお、後述するようにケーシング１０を下ろす際、ダクト継手１２とケーシング１０の主体部３０とは分離される。従って、天井開口６は、少なくともケーシング１０の主体部３０を通すことのできる大きさに設定されれればよい。
【００２９】
ケーシング１０の主体部３０は、上述の側面板２１を除いた残りの７つの側面板２０と、側面板２１に代わって隣接する２つの側面板２０同士を接続する接続板２９とを有している。この接続板２９および残りの７つの側面板２０が、ケーシング１０の平面形状の略８角形形状をなしている。接続板２９は、矩形枠形状を有し、その内部を空気が通過可能とされ、接続板２９に沿って側面板２１が取付構造により係止される。
【００３０】
この取付構造は、主体部３０の下面３２に沿う側面板２１の下部３６を有している。取付部材としてのビス３１が、側面板２１の下部３６を下方から挿通し、主体部３０の下面３２に形成された雌ねじにねじ込まれて固定されている。これにより、主体部３０と側面板２１との下部同士が固定される。固定時または分解時には、ビス３１は下方から操作される。
また、取付構造は、側面板２１の上部に設けられ、主体部３０の係合孔３９と引っ掛け係合する鉤状の係止片３７を有している。係止片３７は、下向きに突出しており、係合孔３９は上面板３３の周縁部に形成されている。側面板２１に沿わせて、主体部３０の接続板２９を下方に変位させると、係止片３７が係合孔３９から外れる。また、逆に、側面板２１に沿わせて、主体部３０を上方に変位させると、係止片３７が係合孔３９に引っ掛かって嵌まり、側面板２１と接続板２９との上部同士が離間することを防止する。
【００３１】
また、側面板２１は、隣接する側面板２０に沿う延設部３８を有している。この延設部３８は、空気調和装置１の上げ下ろしの際に、主体部３０と側面板２１との相対移動を案内し、係止片３７を係合孔３９に導く案内部材として機能する。
本空気調和装置１を室内４に下ろす際には、まず、化粧パネル１１を取り外す。これにより、天井開口６が室内４に露出される。天井開口６内の隙間８を通して、取付部材としてのビス３１を室内４から操作して取り外し、ケーシング１０の主体部３０と側面板２１とを分離可能な状態とする。
【００３２】
次に、吊りボルト９にねじ込まれたナットを緩め、吊りボルト９と保持具３５との係合を解除する。ケーシング１０の主体部３０、熱交換器、各送風機等で構成されるユニットを、天井開口６を通じて下ろす。この際、ダクト２と、ダクト継手１２と、側面板２０とが天井裏３に残される。この後、側面板２０、ダクト継手１２等は、必要に応じて取り外せばよい。
また、メンテナンス等の終了後に、上述の下ろしたユニットを天井裏３に設置する際には、上述の手順と逆に行えばよい。この際も、天井開口６を通して、ユニットを天井裏３に上げることができる。この際、側面板２１を主体部３０に沿わせつつ、係止片３７を接続板２９の上縁部に引っ掛け、室内からビス３１を操作して、側面板２０と主体部３０とを容易に接続することができる。
【００３３】
図７は、本発明の第３実施形態の空気調和装置の模式図であり、正面から見た状態で天井から下ろす過程を（ａ）〜（ｃ）に順に図示している。図８は、空気調和装置の分解斜視図である。図９は、ケーシングの主要部の断面正面図である。
第３実施形態の空気調和装置１では、化粧パネル１１は開閉可能なグリル１４を含んでいる。ダクト継手１２をケーシング１０の側面板２１に取り付ける取付部材としてのビス４０は、グリル１４を開放して化粧パネル１１に形成されるパネル開口１５を通して操作可能とされている。
【００３４】
また、空気調和装置１では、第２実施形態と同様に、ケーシング１０、保持具３５、およびダクト継手１２が平面視で天井開口６の輪郭７内に配置されているが、天井開口６は、少なくともケーシング１０を通すことのできる大きさに設定されれればよい。
化粧パネル１１は、その中央部に配置されるグリル１４を開閉可能に、グリル１４の一端縁を蝶番（図示せず）を介して回動自在に支持している。グリル１４は、上述の吸込口および吹出口を区画し、ケーシング１０の下方を覆っている。グリル１４をその一端縁の回りに回動させ、他端縁を下方に下ろすと、化粧パネル１１にパネル開口１５を形成することができる。このパネル開口１５の上方に、天井開口６内にケーシング１０の下面３２が配置され、パネル開口１５を通じて、ケーシング１０の下面３２が室内４に臨む。また、パネル開口１５を通じて、吊りボルト９にねじ込まれたナットを回すことができ、保持具３５と吊りボルト９との係合を解除可能とされている。なお、グリル１４は、着脱自在に化粧パネル１１に取り付けられていてもよい。
【００３５】
ダクト継手１２と側面板２１とは、別体で形成されている。ダクト継手１２は、側面板２１に、取付部材としての複数、例えば、４つのビス４０により着脱可能に取り付けられている。側面板２１には、上述の一対の連通開口３４が形成されており、その周縁部には、ダクト継手１２を取り付けるための取付構造として、ビス４０を挿通させる複数の挿通孔４１が形成されている。
また、ダクト継手１２は、テーパを有する筒部４３と、筒部４３の一端に設けられたフランジ部４４とを有している。フランジ部４４には取付構造としてのビス４０の雄ねじがねじ込まれる雌ねじが形成されている。側面板２１にダクト継手１２のフランジ部４４を沿わせた状態で、ビス４０が、ケーシング１０の内側から挿通孔４１を通りダクト継手１２の雌ねじにねじ込まれている。また、第１実施形態で説明したように、ダクト継手１２の他端と所定のダクト２とは、嵌合され、アルミテープ等の取付部材１３により境界を封止され、互いに接続されている。
【００３６】
本実施形態の空気調和装置１を室内４に下ろす際には、まず、化粧パネル１１のグリル１４を開く。これにより、パネル開口１５を通して、ケーシング１０内からビス４０を取り外すことができ、ダクト継手１２と側面板２１とを分離可能な状態とする。
次に、吊りボルト９にねじ込まれたナットを緩め、吊りボルト９と保持具３５との係合を解除する。化粧パネル１１、ケーシング１０、熱交換器、各送風機等で構成されるユニットを、天井開口６を通じて下ろす。ケーシング１０には、化粧パネル１１を取り付けたままでよいが、化粧パネル１１を取り外しても構わない。この際、ダクト２と、ダクト継手１２とが天井裏３に残される。この後、ダクト継手１２は必要に応じて取り外せばよい。
【００３７】
また、メンテナンス等の終了後に、上述の下ろしたユニットを天井裏３に設置する際には、上述の手順と逆に行えばよい。この際も、天井開口６を通して、ユニットを天井裏３に上げることができる。この際、化粧パネル１１とケーシング１０とを分離してもよい。
第４実施形態は、第３実施形態のケーシング１０およびダクト継手１２と、第１実施形態の化粧パネル１１とを有している。
【００３８】
図１０は、本発明の第４実施形態の空気調和装置の模式図であり、正面から見た状態で天井から下ろす過程を（ａ）〜（ｃ）に順に図示している。
第４実施形態の空気調和装置１では、ダクト継手１２をケーシング１０の側面板２１に取り付ける取付部材としてのビス４０は、化粧パネル１１を取り外すことにより天井開口６を通して室内４に臨み、天井開口６を通して操作可能とされている。
【００３９】
また、本実施形態の空気調和装置１では、第２および第３実施形態と同様に、ケーシング１０、保持具３５、およびダクト継手１２が平面視で天井開口６の輪郭７内に配置されているが、天井開口６は、少なくともケーシング１０を通すことのできる大きさに設定されれればよい。
本空気調和装置１を室内４に下ろす際には、まず、化粧パネル１１の全体を取り外す。これにより、天井開口６が室内４に露出される。天井開口６内の隙間８を通して、ケーシング１０の内側からビス４０を取り外し、ダクト継手１２と側面板２０とを分離可能な状態とする。
【００４０】
次に、吊りボルト９にねじ込まれたナットを緩め、吊りボルト９と保持具３５との係合を解除する。ケーシング１０、熱交換器、各送風機等で構成されるユニットを、天井開口６を通じて下ろす。
また、メンテナンス等の終了後に、上述のユニットを天井裏３に設置する際には、上述の手順と逆に行えばよい。
第５実施形態の空気調和装置１は、第２実施形態のケーシング１０およびダクト継手１２と、第３実施形態の化粧パネル１１とを有している。
【００４１】
図１１は、本発明の第５実施形態の空気調和装置の模式図であり、正面から見た状態で天井から下ろす過程を（ａ）〜（ｃ）に順に図示している。
第５実施形態の空気調和装置１では、化粧パネル１１は開閉可能なグリル１４を含み、ケーシング１０は、ダクト継手１２が取り付けられる側面板２１と、この側面板２１を取り外し可能に取り付ける主体部３０とを含む。側面板２１を主体部３０に取り付ける取付部材としてのビス３１は、グリル１４を開放して化粧パネル１１に形成されるパネル開口１５を通して操作可能とされている。
【００４２】
また、第５実施形態の空気調和装置１では、第２〜第４の各実施形態と同様に、ケーシング１０、保持具３５、およびダクト継手１２が平面視で天井開口６の輪郭７内に配置されているが、天井開口６は、少なくともケーシング１０の主体部３０を通すことのできる大きさに設定されれればよい。
本実施形態の空気調和装置１を室内４に下ろす際には、まず、化粧パネル１１のグリル１４を開く。これにより、パネル開口１５を通して、ケーシング１０の下面３２にあるビス３１を室内４から操作して取り外すことができる。これにより、ケーシング１０の主体部３０と側面板２１とを分離可能な状態とする。
【００４３】
次に、吊りボルト９にねじ込まれたナットを緩め、吊りボルト９と保持具３５との係合を解除する。ケーシング１０の主体部３０、熱交換器、各送風機等で構成されるユニットを、天井開口６を通じて下ろす。ケーシング１０には、化粧パネル１１を取り付けたまでよいが、化粧パネル１１を取り外しても構わない。この際、ダクト２と、ダクト継手１２と、側面板２１とが天井裏３に残される。側面板２１、ダクト継手１２等は、必要に応じて取り外せばよい。
【００４４】
また、メンテナンス等の終了後に、上述のユニットを天井裏３に設置する際には、上述の手順と逆に行えばよい。
このように本発明の第１実施形態によれば、天井裏３に配置されるケーシング１０およびダクト継手１２が平面視で天井開口６の輪郭７内に配置されるようにした。これにより、ケーシング１０を下ろす際に、ケーシング１０にダクト継手１２を取り付けたままで、且つ天井開口６をそのまま通すことができるので、天井開口６を広げるための作業をせずに済む。その結果、メンテナンス、交換等のためにケーシング１０を下ろす際の手間を低減できる。
【００４５】
また、化粧パネル１１を取り外したときに、ダクト継手１２にダクト２を取り付けるための取付部材１３が、天井開口６内の隙間８を通して室内４に臨むようにした。これにより、低所の室内４から容易に、ダクト２とダクト継手１２との取付状態を解除できる結果、上述の手間をより一層低減することができる。
また、第２の実施形態では、天井裏３に配置されるケーシング１０の主体部３０と、側面板２１とを取り外し可能とし、化粧パネル１１を取り外したときに、側面板２１を主体部３０に取り付けるビス３１が、天井開口６を通して室内４に臨むようにした。これにより、ケーシング１０を天井裏３から下ろす際には、低所の室内４から容易に側面部２１と主体部３０との取付状態を解除でき、主体部３０を天井開口６にそのまま通して下ろすことができる。その結果、ケーシング１０を下ろす際の手間を低減できる。
【００４６】
また、第３の実施形態では、化粧パネル１１のグリル１４を開いたときに、ダクト継手１２をケーシング１０の側面板２１に取り付けるビス４０が、パネル開口１５を通して操作可能とした。これにより、ケーシング１０を下ろす際には、低所の室内４から容易にダクト継手１２とケーシング１０との取付状態を解除でき、ケーシング１０を天井開口６にそのまま通して下ろすことができる。その結果、ケーシング１０を下ろす際の手間を低減できる。
【００４７】
また、第４の実施形態では、化粧パネル１１を取り外したときに、ダクト継手１２をケーシング１０の側面板２１に取り付けるビス４０が、天井開口６を通して室内４に臨み、天井開口６を通して操作可能とした。これにより、上述の第３実施形態と同様の作用効果を同様に得ることができる。
また、第５の実施形態では、化粧パネル１１のグリル１４を開いたときに、側面板２０を主体部３０に取り付けるビス３１が、パネル開口１５を通して操作可能とした。これにより、上述の第２実施形態と同様の作用効果を得ることができる。
【００４８】
また、第２〜第５の各実施形態では、ケーシング１０とダクト２とを分離可能とするために、ビス３１，４０を利用した取付状態を解除するようにしているので、貼着テープ等の取付部材１３を利用した取付状態を解除する場合に比べて、手間を低減できる。
また、第２および第５の各実施形態では、ケーシング１０と２つのダクトとを分離させるために、単一の側面板２１を主体部３０から取り外すようにしているので、２つのダクト２の取り外しを一括してできる結果、手間をより一層低減できる。
【００４９】
なお、上述の第１、第２および第４の各実施形態では、ケーシング１０を下ろす際に、化粧パネル１１の全体を取り外していたが、これには限定されない。例えば、第１の実施形態では取付部材１３の取り外しのために、また、第２実施形態では取付部材としてのビス３１の取り外しのために、また、第４の実施形態では取付部材としてのビス４０の取り外しのために、化粧パネル１１の一部を取り外すようにしてもよい。
【００５０】
上述の化粧パネル１１の一部としては、第３および第５の実施形態の化粧パネル１１において、着脱自在に取り付けたグリル１４を例示できる。また、図１２に示すように、化粧パネル１１が、その側縁部１７と残りの部分となる中央部１８とを有し、側縁部１７が中央部１８に着脱自在に取り付けられている場合に、側縁部１７が上述の一部となる。側縁部１７を取り外すことにより、天井開口６の少なくとも一部であり、上述の各取付部材の真下となる部分が室内４に開放される。このように、化粧パネル１１の一部を取り外す場合には、この一部に、上述の各取付部材の近傍にある化粧パネル１１の部分が含まれるのが好ましい。さらに、側縁部１７の真上に保持具３５が配置される場合には、側縁部１７を取り外すことにより下方からナットを緩めて、中央部１８をケーシング１０に取り付けたままで、ケーシング１０を下ろすことができる。その結果、下ろす際の手間を低減できて好ましい。要は、化粧パネル１１は、その少なくとも一部を取り外すようにできればよい。
【００５１】
また、上述の各実施形態では、空気調和装置１は、ケーシング１０と、熱交換器と、送風機とを有していたが、これには限定されない。要は、ダクト継手１２が取り付けられるケーシング１０を有していれば良い。
また、上述の化粧パネル１１のグリル１４は、吹出口や吸込口を区画する窓状の部材に限定されない。例えば、グリル１４の周縁部が、吹出口や吸込口を区画してもよいし、区画しないものであっても、本発明を適用することができる。本発明でのグリル１４は、パネル開口１５を開閉可能に覆うものであればよい。
【００５２】
その他、本発明の要旨を変更しない範囲で種々の設計変更を施すことが可能である。
【図面の簡単な説明】
【図１】本発明の第１実施形態の空気調和装置の模式図であり、正面から見た状態で天井から下ろす過程を（ａ）〜（ｃ）に順に図示している。
【図２】図１の空気調和装置の平面図であり、天井開口も図示されている。
【図３】本発明の第２実施形態の空気調和装置の模式図であり、正面から見た状態で天井から下ろす過程を（ａ）〜（ｃ）に順に図示している。
【図４】図３の空気調和装置の平面図である。
【図５】図３の空気調和装置の要部の分解斜視図である。
【図６】図３のケーシングの要部拡大断面正面図である。
【図７】本発明の第３実施形態の空気調和装置の模式図であり、正面から見た状態で天井から下ろす過程を（ａ）〜（ｃ）に順に図示している。
【図８】図７の空気調和装置の分解斜視図である。
【図９】図７のケーシングの要部拡大断面正面図である。
【図１０】本発明の第４実施形態の空気調和装置の模式図であり、正面から見た状態で天井から下ろす過程を（ａ）〜（ｃ）に順に図示している。
【図１１】本発明の第５実施形態の空気調和装置の模式図であり、正面から見た状態で天井から下ろす過程を（ａ）〜（ｃ）に順に図示している。
【図１２】本発明の実施形態の変形例の空気調和装置の模式図である。
【符号の説明】
１    空気調和装置
２    ダクト
３    天井裏
４    室内
５    天井面
６    天井開口
７    天井開口の輪郭
８    天井開口内の隙間
１０  ケーシング（装置本体）
１１  化粧パネル
１２  ダクト継手
１３  取付部材（ダクトを取り付けるための取付部材）
１４  グリル
１５  パネル開口
２０  側面板
３０  主体部
３１  ビス（側面板を主体部に取り付ける取付部材）
４０  ビス（ダクト継手を装置本体の側面板に取り付ける取付部材）
【図１】
0004582371.tif 000002
【図２】
0004582371.tif 000003
【図３】
0004582371.tif 000004
【図４】
0004582371.tif 000005
【図５】
0004582371.tif 000006
【図６】
0004582371.tif 000007
【図７】
0004582371.tif 000008
【図８】
0004582371.tif 000009
【図９】
0004582371.tif 000010
【図１０】
0004582371.tif 000011
【図１１】
0004582371.tif 000012
【図１２】
0004582371.tif 000013